(57)【要約】【課題】意匠上の制約を軽減しつつ運転者が視認しやすい計器装置を提供する。【解決手段】車両のインストルメントパネルに設けられる計器装置において、発光体と、インストルメントパネルに装着されるハウジングとを備え、ハウジングは、指標が表示された表面を有するメータ盤と、高さ方向に向かって拡開し発光体からの光を反射する傾斜面を有し、発光体が傾斜面に対して高さ方向の下方にあるとき、該傾斜面の傾斜角θが、傾斜面に対する運転者の視認角α、傾斜面及び発光体の相対高さＨ、及び傾斜面及び発光体の幅方向の相対距離である幅Ｌであらわされる式（１）を満たし、発光体が傾斜面に対して高さ方向の上方にあるとき、該傾斜面の傾斜角θが、視認角α、相対高さＨ、及び幅Ｌであらわされる以下の式（２）を満たす。θ＜{α＋ａｒｃｔａｎ（Ｈ／Ｌ）}・１／２…（１）θ＜{α−ａｒｃｔａｎ（Ｈ／Ｌ）}・１／２…（２）【選択図】図４
2014215191.tif 000002
【特許請求の範囲】
【請求項１】
車両のインストルメントパネルに設けられる計器装置において、
発光体と、
前記インストルメントパネルに装着されるハウジングとを備え、
前記ハウジングは、
指標が表示された表面を有するメータ盤と、
前記メータ盤の表面側から高さ方向に向かって拡開し、前記発光体からの光を反射する傾斜面を有し、
前記発光体が前記傾斜面に対して前記高さ方向の下方にあるとき、前記傾斜面の少なくとも一部の傾斜角θが、前記傾斜面に対する運転者の視認角α、前記傾斜面及び前記発光体の相対高さＨ、及び前記傾斜面及び前記発光体の幅方向の相対距離である幅Ｌであらわされる以下の式（１）を満たし、
前記発光体が前記傾斜面に対して前記高さ方向の上方にあるとき、該傾斜面の少なくとも一部の傾斜角θが、前記視認角α、前記相対高さＨ、及び前記幅Ｌであらわされる以下の式（２）を満たすことを特徴とする計器装置。
θ＜{α＋ａｒｃｔａｎ（Ｈ／Ｌ）}・１／２…（１）
θ＜{α−ａｒｃｔａｎ（Ｈ／Ｌ）}・１／２…（２）
【請求項２】
前記発光体は、画像表示面を備えたディスプレイであって、
前記傾斜面は、前記画像表示面よりも前記高さ方向の上方に配置され、前記画像表示面の外周の少なくとも一部に設けられるとともに、
前記傾斜面の少なくとも一部の傾斜角は、前記視認角α、前記傾斜面の下端及び前記画像表示面の相対高さＨ、及び画像表示面の幅Ｌであらわされる前記式（１）を満たす請求項１に記載の計器装置。
【請求項３】
前記傾斜面は矩形状の前記画像表示面を囲む枠状をなし、
前記画像表示面の一方の辺に隣接する前記傾斜面の傾斜角、及び前記画像表示面の他方の辺に隣接する前記傾斜面の傾斜角は、それぞれ前記式（１）を満たすとともに互いに異なる値である請求項２に記載の計器装置。
【請求項４】
前記発光体は、車両情報を表示するメータの針に設けられ、
前記傾斜面は、環状又は扇状をなすとともに前記針の回転軌跡の外側に配置され、前記発光体に対して前記高さ方向の下方に配置され、
前記傾斜面の傾斜角は、前記視認角α、前記傾斜面の下端及び前記発光体の相対高さＨ、及び前記傾斜面及び前記発光体の相対距離である幅Ｌであらわされる前記式（２）を満たす請求項１に記載の計器装置。
【請求項５】
前記傾斜面の傾斜角は一定であって、前記傾斜面の周方向において前記運転者のとりうる視認角αのうち最小値を用いた前記式（２）を満たす請求項４に記載の計器装置。
【発明の詳細な説明】
【技術分野】
【０００１】
本発明は、インストルメントパネルに設けられ、車速やエンジン回転数等を表示する計器装置に関する。
【背景技術】
【０００２】
運転席前方のインストルメントパネルには、速度計、回転計、燃料計等の計器を有する計器装置が設けられている。図９に示すように、最近では、速度やエンジン回転数等が表示されるメータ盤１０１にディスプレイ１０２が組み込まれた計器装置がある。ディスプレイ１０２には、例えば故障情報、走行距離等が表示される。このディスプレイ１０２には、夜間等の照度が低い状況における視認性を高めるため、一般的に液晶ディスプレイ又は有機ＥＬディスプレイ等から構成される。
【０００３】
計器装置のハウジング１０３にはディスプレイ１０２の画像表示面１０４の形状に合わせた開口１０５が設けられている。ディスプレイ１０２は、画像表示面１０４を開口１０５を介して露出させた状態で図示しない計器箱に設けられている。またハウジング１０３は、美観向上等を目的として、メータ盤２１の表面に装着されるオーナメント１０６を一般的に有している。オーナメント１０６は、開口１０５周辺に傾斜面１０７を備えている。
【０００４】
速度計１１０及び回転計１１１は、メータ盤１０１に回転可能に設けられた針１１２，１１３を備えている。またオーナメント１０６は、針１１２，１１３を囲むリング１１４，１１５とを備えている。針１１２，１１３は、夜間等の照度が低い状況における視認性を高めるため、ＬＥＤ等の発光部（図示略）を裏面等に備えている。リング１１４，１１５は、美観向上等を目的として、表示面から高さ方向に向かって拡開する傾斜面１１６，１１７を有している。
【０００５】
しかし意匠性を高めることを目的として、オーナメント１０６を、めっき加工された樹脂や金属等で構成しようとする場合、以下のような問題が生じる。即ちディスプレイ１０２から出射された光の一部が傾斜面１０７に当たり運転者の方向に反射されたり、針１１２，１１３の発光部から出射された光の一部が傾斜面１１６，１１７に当たり運転者の方向に反射される。反射光が運転者の視界に入る場合には、運転者が眩惑されたり、違和感を感じることがある。
【０００６】
この問題に対し、速度計等の傾斜面に階段部を設けることによって、計器に設けられた導光体の光を運転者の視認方向と異なる方向に反射する計器が提案されている（例えば特許文献１参照）。
【先行技術文献】
【特許文献】
【０００７】
【特許文献１】特開２００６−５８１３１号公報
【発明の概要】
【発明が解決しようとする課題】
【０００８】
しかし上記傾斜面に階段部を設ける場合には、ハウジングの意匠上の制約が大きくなるほか、加工も難しくなる。このため、意匠上の制約を軽減しつつ運転者が視認しやすい計器装置が要請されていた。尚、こうした課題は、上述した構成の計器装置に限らず、発光体を備える計器装置においては概ね共通したものである。
【０００９】
本発明は、上記実情を鑑みてなされたものであり、その目的は、意匠上の制約を軽減しつつ運転者が視認しやすい計器装置を提供することにある。
【課題を解決するための手段】
【００１０】
上記課題を解決する計器装置は、車両のインストルメントパネルに設けられる計器装置において、発光体と、前記インストルメントパネルに装着されるハウジングとを備え、前記ハウジングは、指標が表示された表面を有するメータ盤と、前記メータ盤の表面側から高さ方向に向かって拡開し、前記発光体からの光を反射する傾斜面を有し、前記発光体が前記傾斜面に対して前記高さ方向の下方にあるとき、前記傾斜面の少なくとも一部の傾斜角θが、前記傾斜面に対する運転者の視認角α、前記傾斜面及び前記発光部の相対高さＨ、及び前記傾斜面及び前記発光部の幅方向の相対距離である幅Ｌであらわされる以下の式（１）を満たし、前記発光体が前記傾斜面に対して前記高さ方向の上方にあるとき、該傾斜面の少なくとも一部の傾斜角θが、前記視認角α、前記相対高さＨ、及び前記幅Ｌであらわされる以下の式（２）を満たす。
【００１１】
θ＜{α＋ａｒｃｔａｎ（Ｈ／Ｌ）}・１／２…（１）
θ＜{α−ａｒｃｔａｎ（Ｈ／Ｌ）}・１／２…（２）
この態様によれば、発光体の光の一部が傾斜面に反射するとき、傾斜面の少なくとも一部の傾斜角θが上記式（１）又は上記式（２）を満たすように設定されることによって、運転者によって視認されない方向に光を反射することができる。従って意匠性を高めることを目的としてハウジングの傾斜面を反射率の高い材料から構成しても、運転者を反射光によって眩惑したり、運転者に違和感を感じさせることを抑制することができる。このため発光体周辺におけるハウジングの材料に対する制約が軽減されるので、意匠性を高めつつ、運転者が視認しやすい計器装置を提供できる。
【００１２】
上記計器装置について、前記発光体は、画像表示面を備えたディスプレイであって、前記傾斜面は、前記画像表示面よりも前記高さ方向の上方に配置され、前記画像表示面の外周の少なくとも一部に設けられるとともに、前記傾斜面の少なくとも一部の傾斜角は、前記視認角α、前記傾斜面の下端及び前記画像表示面の相対高さＨ、及び画像表示面の幅Ｌであらわされる前記式（１）を満たすことが好ましい。
【００１３】
この態様によれば、ディスプレイの外周に設けられた傾斜面がディスプレイからの光を反射するとき、傾斜角が前記式（１）を満たすように設定されることによって、運転者によって視認されない方向に光を反射することができる。このため、該傾斜面を反射率の高い材料から構成しても、運転者を発光体の光によって眩惑したり、運転者に違和感を感じさせることを抑制することができる。従ってディスプレイ周辺におけるハウジングの材料に対する制約が軽減されるので、意匠性を高めつつ、運転者が視認しやすい計器装置を提供できる。
【００１４】
上記計器装置について、前記傾斜面は矩形状の前記画像表示面を囲む枠状をなし、前記画像表示面の一方の辺に隣接する前記傾斜面の傾斜角、及び前記画像表示面の他方の辺に隣接する前記傾斜面の傾斜角は、それぞれ上記式（１）を満たすとともに互いに異なる値であることが好ましい。
【００１５】
この態様によれば、画像表示面を囲む傾斜面のうち、画像表示面の一方の辺に隣接する傾斜面及び他方の辺に隣接する傾斜面の傾斜角は、それぞれ上記式（１）を満たし、その値は互いに異なる。即ち運転者の視認角は、例えば縦方向の傾斜面を視認するとき、及び横方向の傾斜面を視認するときに応じてそれぞれ異なるので、式（１）を満たす傾斜角もそれぞれ異なる値となるためである。このため枠状の傾斜面の全域に亘って、傾斜面に反射した光が運転者の視界に入ることを抑制することができる。
【００１６】
上記計器装置について、前記発光体は、車両情報を表示するメータの針に設けられ、前記傾斜面は、環状又は扇状をなすとともに前記針の回転軌跡の外側に配置され、前記発光体に対して前記高さ方向の下方に配置され、前記傾斜面の傾斜角は、前記視認角α、前記傾斜面の下端及び前記発光体の相対高さＨ、及び前記傾斜面及び前記発光体の相対距離である幅Ｌであらわされる前記式（２）を満たすことが好ましい。
【００１７】
この態様によれば、傾斜面が、車両情報を指し示す針に設けられた発光部からの光を反射するとき、傾斜角が上記式（２）を満たすように設定されることによって、運転者によって視認されない方向に光を反射することができる。このため、該傾斜面を反射率の高い材料から構成しても、運転者を反射光によって眩惑したり、運転者に違和感を感じさせることを抑制することができる。従ってメータ周辺におけるハウジングの材料に対する制約が軽減されるので、意匠性を高めつつ、運転者が視認しやすい計器装置を提供できる。
【００１８】
上記計器装置について、前記傾斜面の傾斜角は一定であって、前記傾斜面の周方向において前記運転者のとりうる視認角αのうち最小値を用いた式（２）を満たすことが好ましい。
【００１９】
この態様によれば、メータ周囲に設けられるか又はメータを構成する傾斜面は環状であって、その傾斜角は一定であるため加工も容易であり美観も損なわれない。また傾斜角は、運転者のとりうる視認角αのうち最小値を用いた式（２）を満たすので、環状の傾斜面の全域に亘って、傾斜面に反射した光が運転者の視界に入ることを抑制することができる。
【図面の簡単な説明】
【００２０】
【図１】本発明に係る計器装置が配置されたインストルメントパネルを示す斜視図。
【図２】同計器装置の平面図。
【図３】同計器装置の幅方向における要部の端面図。
【図４】同計器装置のオーナメントにおける傾斜角及びディスプレイから出射されオーナメントの傾斜面に反射した光の関係を説明する図。
【図５】上記傾斜角を設定する際に用いる視認角を説明する図。
【図６】上記傾斜角を設定する際に用いる視認角を説明する図。
【図７】同計器装置に設けられた速度計の幅方向における端面図。
【図８】同計器装置のオーナメントにおける傾斜角及び速度計の発光部から出射されオーナメントの傾斜面に反射した光の関係を説明する図。
【図９】従来の計器装置の平面図。
【発明を実施するための形態】
【００２１】
以下、計器装置の一実施形態を説明する。図１に示すように、車両のインストルメントパネル１０のうち運転席Ｓの前方の領域には、速度及びエンジン回転数等を表示する計器装置１１、及び経路案内等を行うナビゲーション装置１２が組み込まれている。本実施形態では、計器装置１１は、ステアリングホイールＷの奥側に設けられている。
【００２２】
図２に示すように計器装置１１は、複数の部材から構成されるハウジング２０を備えている。ハウジング２０は、凹状に形成されたメータ盤２１と、図示しないカバーとを有している。メータ盤２１は、平面視において横長の形状を有し、その表面には速度やエンジン回転数を運転者に表示するための数字や文字等が表示されている。このメータ盤２１の開口部に透光性を有する上記カバーを被せることで計器類への塵埃及び水の侵入等を抑制している。尚、メータ盤２１の表面の長手方向を幅方向ＷＤ、短手方向を奥行き方向ＤＰとし、メータ盤２１の表面の法線方向であって表面を始端とする方向を高さ方向ＨＧとする。
【００２３】
メータ盤２１には、四角形状の第１開口部２２と、一対の第２開口部２３が貫通形成されている。第１開口部２２は、メータ盤２１の幅方向中央に形成され、平面視において矩形状をなしている。第２開口部２３は、第１開口部２２の両側にそれぞれ形成され、円形状をなしている。第１開口部２２は、メータ盤２１の裏面から装着された発光体としてのディスプレイ５０を運転者に視認可能に露出する。第２開口部２３は、速度計５１及びエンジン回転数を示す回転計５２の針の回転軸を、メータ盤２１の裏面に設けられた計器本体（図示略）に連結するために設けられている。
【００２４】
まずディスプレイ５０及び該ディスプレイ５０周辺におけるハウジング２０の構成について説明する。図３に示すように、メータ盤２１の裏側には、ディスプレイ５０、ディスプレイ５０等を支持する支持プレート２４が設けられている。本実施形態ではディスプレイ５０は、液晶ディスプレイから構成され、液晶を封入し電極等を備えた液晶パネル、液晶パネルに光を照射する照明部、導光プリズム、カラーフィルター、ガラス基板等を有している。ガラス基板の主面であって、画像等が運転者に視認可能に表示される画像表示面５０ａは、メータ盤２１の第１開口部２２を介して露出されている。
【００２５】
メータ盤２１の表面２１ａには、美観を向上するためにオーナメント２５が装着されている。図２に示すように、オーナメント２５は、矩形状の画像表示面５０ａの形状に沿った四角枠状のフレーム部２６と、フレーム部２６の両側に設けられた一対の環状部２７を有している。尚、フレーム部２６はその画像表示面５０ａに沿った枠状であればよく、四角枠状に限定されない。
【００２６】
オーナメント２５をメータ盤２１に装着した装着状態において、フレーム部２６は、ディスプレイ５０とメータ盤２１との高さ方向ＨＧの隙間、ディスプレイ５０の端縁等を運転者側からみて視認されにくくした上で、意匠性を高めるための傾斜面を有している。環状部２７は、平面視において略円環状をなし、速度計５１の針５１ａ及び回転計５２の針５２ａの回転軌跡の外側に設けられている。環状部２７は、速度や回転数の目盛が表示される傾斜面を有している。
【００２７】
このオーナメント２５は、平面視において四角枠状のフレーム部２６及び環状部２７を一体化させた形状に成形された樹脂と、樹脂の上に成膜されためっき層とから構成される。めっき層は、金属等の被膜からなり、本実施形態では銀色を呈している。即ち本実施形態のオーナメント２５は、黒色の樹脂からなるオーナメントに比べて、ディスプレイ５０等からの光を反射しやすい。尚、めっき層の色は銀色に限定されず、金色、赤銅色等であってもよい。またオーナメント自体が金属であってもよい。尚、めっき層については便宜上、図示を省略している。
【００２８】
図３に示すように、フレーム部２６は、装着状態において表面２１ａと略平行に配置される平坦部２８と、平坦部２８に対して屈曲した屈曲部２９とを有している。平坦部２８及び屈曲部２９によって、ディスプレイ５０の画像表示面５０ａを露出するための開口部が構成されている。装着状態では屈曲部２９は、ディスプレイ５０及びメータ盤２１の隙間を運転者から視認しにくくする。また屈曲部２９及び平坦部２８の間には、表面２１ａに対して傾斜角θをなす傾斜面３０が設けられている。図２に示すように、傾斜面３０は、ディスプレイ５０の奥行き方向ＤＰ（縦方向）と平行な縦辺、及び幅方向ＷＤと平行な横辺を囲んでいる。各縦辺に隣接する傾斜面３０ａの傾斜角θ１は一定であり、各横辺に隣接する傾斜面３０ｂの傾斜角θ２は一定であるが、傾斜角θ１及び傾斜角θ２は互いに異なる。尚、傾斜角θ１，θ２を区別しないで説明する場合には、単に傾斜角θという。
【００２９】
傾斜面３０の傾斜角θの設定方法及びその作用について説明する。各傾斜面３０ａ，３０ｂの傾斜角θ１，θ２の設定手法は同じであるため、ここではディスプレイ５０の縦辺に隣接する傾斜面３０ａを例にして説明する。図４に示すように、傾斜面３０がディスプレイ５０の画像表示面５０ａよりも上方にある場合、傾斜角θ１は以下の式（１）を満たすように設定される。尚、幅Ｌは、オーナメント２５の開口の幅、相対高さＨは、傾斜面３０のうちディスプレイ５０側の下端から画像表示面５０ａまでの距離を相対高さ、視認角αはフレーム部２６を含めたディスプレイ５０全体に対する運転者Ｄの視認角である。
【００３０】
θ＜{α＋ａｒｃｔａｎ（Ｈ／Ｌ）}・１／２…（１）
図５に示すように、視認角αは、運転者Ｄが通常の姿勢、左側に傾いた姿勢及び右側に傾いた姿勢のときにとりうる視界Ｚのうち、最も外側となる最外線Ｚ１とメータ盤２１の表面２１ａ又は表面２１ａと平行な面がなす角度である。本実施形態では運転者Ｄからみて右側の傾斜面３０ａに対する右目の視線方向を示す最外線Ｚ１と左目の視認方向を示す内側線Ｚ２とでは、最外線Ｚ１の方が視認角（最外接角）が小さい。ディスプレイ５０から出射された光が傾斜面３０ａによって反射されるとき、運転者に反射光を視認させないためには、その反射光が視界Ｚの外側に反射されるか、視界Ｚを横切って運転者Ｄ側とは反対方向に反射されることが必要である。
【００３１】
図４に示すようにディスプレイ５０から出射された光の一部が、傾斜角θを有する傾斜面３０ａに入射するとき、入射光ＩＬの角度を入射角φとすると、反射光ＤＬの反射角は、メータ盤２１の表面２１ａと平行な面に対して「θ＋φ」とあらわすことができる。この反射角は以下の式（３）を満たすことが必要である。
【００３２】
θ＋φ＜α…（３）
またディスプレイ５０からの光の出射位置によって入射角φは異なるが、傾斜面３０ａから最も離間した位置から光が出射するとき入射角φは最も大きくなる。傾斜面３０ａから最も離間した位置から光が出射するときの入射角φと傾斜角θとの関係は、錯角の関係から以下の式（４）のように表される。また図中「γ」は、ａｒｃｔａｎ（Ｈ／Ｌ）の値である。
【００３３】
θ＝φ＋ａｒｃｔａｎ（Ｈ／Ｌ）…（４）
式（４）から求められる入射角φを式（３）に代入することにより、式（１）となる。傾斜角θをこのように設定することにより、ディスプレイ５０から出射された光が傾斜面３０ａに反射しても、反射光ＤＬはディスプレイ５０の外側に向かって進み運転者の視界Ｚに入らない。またディスプレイ５０から出射された光が屈曲部２９に入射するとき、その入射角が大きいために反射光は視界Ｚを横切って運転者Ｄとは異なる方向に進む。
【００３４】
またディスプレイ５０の幅方向の辺に隣接する傾斜面３０ｂの傾斜角θも同様に求められるが、視認角αの値が異なるため、傾斜角θは縦方向に沿った傾斜面３０ａに対して異なる値となる。図６に示すように、標準の座高の運転者Ｄが通常の姿勢、及び頭部を動かした姿勢のときにとりうる視界Ｚのうち、傾斜面３０ｂに対する視認角を「視認角α」とする。尚、図６では、標準の座高の運転者Ｄが通常の姿勢、及び頭部を動かした姿勢のときにとりうる視界Ｚのうち、傾斜面３０ｂに対する最小の視認角を視認角αとして示しているが、ＪＩＳＤ００２１に準ずる９９パーセンタイルに相当する視界での９９％アイレンジの場合にも上記式（１）を満たすように傾斜角θを設定すればよい。
【００３５】
次に、速度計５１及び回転計５２とそれら周辺におけるハウジング２０の構成について、その作用とともに説明する。速度計５１及び回転計５２は、計器本体は異なるものの、その周辺のハウジング２０等の形状はほぼ同じである。従ってここでは速度計５１を例示して説明する。
【００３６】
図２に示すように、速度計５１は、速度を指し示す針５１ａと、針５１ａをセンサ等から入力した電気信号に基づき回転させる計器本体（図示略）と、オーナメント２５の環状部２７とを有している。針５１ａは、針本体及び回転軸部を有し、回転軸部はメータ盤２１に形成された第２開口部２３に挿通され、上記計器本体に支持されている。メータ盤２１のうち環状部２７に囲まれた領域には速度が表示され、環状部２７には発光する目盛が設けられている。
【００３７】
図７に示すように、環状部２７には、高さ方向ＨＧに拡開する傾斜面３１が設けられている。傾斜面３１は、最も内側に設けられた第１傾斜面３１ａと、該第１傾斜面３１ａよりも外側に設けられた第２傾斜面３１ｂとを有している。第１傾斜面３１ａの傾斜角θは、第２傾斜面３１ｂの傾斜角より小さい。また第２傾斜面３１ｂには、傾斜面３１とは異なる方向に傾斜する外側傾斜面３２が連続している。この外側傾斜面３２は、傾斜面３１に連続する端縁とは異なる端縁で、メータ盤２１の表面に連続するか、フレーム部２６に連続している。
【００３８】
また針５１ａは、針本体の裏面に発光体としての発光部５１ｂを有している。この発光部５１ｂは、ＬＥＤ等から構成され、細長状をなしている。発光部５１ｂの長手方向の長さは、例えば針本体よりも短く、その幅は針本体よりも短い形状である。この発光部５１ｂは、メータ盤２１に反射させた光によって針本体を裏面から照射する。
【００３９】
また発光部５１ｂから出射された光は、メータ盤２１の表面２１ａだけでなく環状部２７の第１傾斜面３１ａにも反射する。第１傾斜面３１ａの傾斜角θは、その周方向において一定である。また第１傾斜面３１ａの傾斜角θは下記の式（２）を満たすように設定される。図８に示すように、幅Ｌは発光部５１ｂの先端から第１傾斜面３１ａの下端までの幅であって、相対高さＨは発光部５１ｂの先端と第１傾斜面３１ａの下端との相対高さ、視認角αは環状部２７を含めた速度計５１全体に対する運転者Ｄの視認角である。
【００４０】
θ＜{α−ａｒｃｔａｎ（Ｈ／Ｌ）}・１／２…（２）
環状部２７は略円環状であるため、各位置で運転者の視認角は異なるが、傾斜角θの設定では、視認角αは環状部２７に対してとりうる視認角のうち最も小さい値が設定されている。視認角の最小値に設定することによって、傾斜角θの上限値を最も小さくすることができる。
【００４１】
発光部５１ｂから出射された光が第１傾斜面３１ａによって反射されるとき、運転者に反射光を視認させないためには、その反射光が視界Ｚの外側に反射されるか、視界Ｚを横切って運転者Ｄ側とは反対方向に反射されることが必要である。但し速度計５１の場合、発光部５１ｂが第１傾斜面３１ａの高さ方向ＨＧの上方に位置する点がディスプレイ５０の場合と異なる。
【００４２】
図８に示すように、発光部５１ｂから出射された光の一部が、傾斜角θを有する第１傾斜面３１ａに入射するとき、入射光ＩＬの角度を入射角φとすると、反射光ＤＬの反射角は、メータ盤２１の表面２１ａと平行な面に対して「θ＋φ」とあらわすことができる。この反射角は、ディスプレイ５０の場合と同様に式（３）を満たすことが必要である。尚、下記の式（３）のαは、環状部２７に対する視認角である。
【００４３】
θ＋φ＜α…（３）
また発光部５１ｂの光の出射位置によって入射角φは異なるが、発光部５１ｂは第１傾斜面３１ａよりも上方に位置するため、第１傾斜面３１ａに最も近い位置から光が出射するとき入射角φが最も大きくなる。第１傾斜面３１ａから最も近い先端位置から光が出射するときの入射角φと傾斜角θとの関係は、錯角の関係から以下の式（５）のように表される。また図中「γ」は、ａｒｃｔａｎ（Ｈ／Ｌ）の値である。
【００４４】
θ＝φ−ａｒｃｔａｎ（Ｈ／Ｌ）…（５）
式（５）から求められる入射角φを式（３）に代入することにより、式（２）となる。傾斜角θをこのように設定することにより、発光部５１ｂから出射された光が第１傾斜面３１ａに反射しても、速度計５１の外側に向かって進み運転者の視界Ｚに入らない。また発光部５１ｂから出射された光が第２傾斜面３１ｂに入射するとき、その入射角は大きいため、反射光は視界Ｚを横切って運転者Ｄとは異なる方向に進む。
【００４５】
また「ａｒｃｔａｎ（Ｈ／Ｌ）」を「γ」に置き換えることにより、式（１）及び式（２）は、式（６）で表すことができる。尚、幅Ｌと相対高さＨで表される「γ」が、傾斜面の下端を通りメータ盤２１の表面２１ａに平行な水平線Ｌ１の上方にあるとき、その値は正であり、水平線Ｌ１の下方にあるとき、その値は負である。
【００４６】
θ＜{α−γ}・１／２…（６）
以上説明したように、上記実施形態によれば、以下に列挙する効果が得られるようになる。
【００４７】
（１）上記実施形態によれば、ハウジング２０を構成するオーナメント２５は、ディスプレイ５０の画像表示面５０ａを囲む傾斜面３０を備え、該傾斜面３０は画像表示面５０ａよりも高さ方向ＨＧにおいて上方に設けられる。また傾斜面３０はディスプレイ５０からの光を反射するめっき層から構成される。この傾斜面３０の傾斜角θを上記式（１）を満たすように設定することによって、運転者によって視認されない方向に光を反射することができる。このため、運転者を反射光によって眩惑したり、違和感を感じさせることを抑制することができる。従ってオーナメント２５の材料に対する意匠上の制約が軽減されるので、意匠性を高めつつ、運転者が視認しやすい計器装置１１を提供できる。
【００４８】
（２）上記実施形態によれば、ディスプレイ５０の画像表示面５０ａを囲む傾斜面３０は平面視において四角枠状をなし、画像表示面５０ａの縦辺に隣接する傾斜面３０の傾斜角θ１と、横辺に隣接する傾斜面３０の傾斜角θ２とは、それぞれ上記式（１）を満たすが、その値は互いに異なる。即ち運転者Ｄの視認角αは、縦方向の傾斜面３０及び横方向の傾斜面３０によってそれぞれ異なるので、視認角αに応じて式（１）を満たす傾斜角θ１，θ２もそれぞれ異なる値に設定される。また縦方向の傾斜面３０及び横方向の傾斜面３０は連続してはいるが、四角枠の隅部によってそれらの境界が明確となるため、傾斜角が異なっても美観を損なうことがない。
【００４９】
（３）上記実施形態によれば、ハウジング２０を構成するオーナメント２５は、速度計５１及び回転計５２の針５１ａ，５２ａの回転軌跡の外側に設けられた傾斜面３１を備え、該傾斜面３１は針５１ａ，５２ａの発光部５１ｂよりも高さ方向ＨＧにおいて下方に設けられる。また傾斜面３１は発光部５１ｂからの光を反射するめっき層から構成される。この傾斜面３１を構成する第１傾斜面３１ａの傾斜角θを上記式（２）を満たすように設定することによって、運転者によって視認されない方向に光を反射することができる。このため、運転者を反射光によって眩惑したり、違和感を感じさせることを抑制することができる。従ってオーナメント２５の材料に対する意匠上の制約が軽減されるので、意匠性を高めつつ、運転者が視認しやすい計器装置１１を提供できる。
【００５０】
（４）上記実施形態によれば、速度計５１及び回転計５２を構成する傾斜面３１は環状であって、その傾斜角θは一定である。また傾斜角θは、運転者のとりうる視認角αのうち最小値を用いた式（２）を満たすので、環状の傾斜面３１の全域において、運転者を発光体の光によって眩惑したり、違和感を感じさせることを抑制することができる。
【００５１】
尚、上記実施形態は以下のように適宜変更して実施することもできる。
・上記実施形態では、オーナメント２５の環状部２７を略円環状にしたが、扇状、楕円形状等、その他の形状であってもよい。また、フレーム部２６を平面視において四角枠状にしたが、扇状、楕円形状等、その他の形状であってもよい。例えば運転者から見た画像表示面が扇状である場合、フレーム部２６も扇状となる。このとき、フレーム部２６の円弧状部分の傾斜面と、直線状部分の傾斜面とを異なる傾斜角としてもよい。
【００５２】
・視認角αの設定方法は、上述した手法以外の方法を用いてもよい。例えば実験値によって得られる視認角に基づき決定してもよい。例えば実験で得られる視認角のうち最小値や、平均値等を用いることもできる。
【００５３】
・上記実施形態では、ディスプレイ５０の外周に設けられたフレーム部２６の傾斜面３０の傾斜角θ、及び速度計５１及び回転計５２を構成する環状部２７の傾斜面３１の傾斜角θを上記式（１）又は式（２）を満たすようにしたが、これに限定されない。フレーム部２６、速度計５１の傾斜面３１、及び回転計５２の傾斜面３１のうち少なくとも一つが上記式（１）又は式（２）を満たす傾斜角θを有していればよい。例えば回転計５２を構成する環状部２７が、低反射率の材料から構成されている場合には、速度計５１の第１傾斜面３１ａの傾斜角θのみを式（２）を満たすように設定してもよい。
【００５４】
・上記実施形態では、フレーム部２６の全周に傾斜角θの傾斜面を設けたが、傾斜面を設ける範囲は適宜変更してもよい。例えばフレーム部２６の開口部における上辺及び下辺はディスプレイ５０の画像表示面５０ａに対して垂直な面又は反射率が低い材料からなる面とし、右辺及び左辺は傾斜角θの傾斜面としてもよい。或いは４辺の傾斜面３０ａ，３０ｂのうち、少なくとも一つを式（１）を満たす傾斜角θを有する傾斜面とし、残りを９０°近い傾斜角を有するか、又は反射率が低い材料から構成される傾斜面としてもよい。
【００５５】
・上記実施形態では、速度計５１及び回転計５２を構成する各傾斜面３１の傾斜角θを一定にしたが、傾斜面３１の周方向において傾斜角θを変化させてもよい。例えば、傾斜面３１を、上方右側、上方左側、下方右側、下方左側の４つに区分したとき、運転者側に反射しやすい領域のみを式（２）を満たすように設定し、その他の領域における傾斜角は適宜設定してもよい。その際、傾斜角が互いに異なる面の間に段差を設けるのではなく、傾斜角が連続的に変化するような傾斜面にすると、意匠性に優れた外観にすることができる。
【００５６】
・上記実施形態では、オーナメント２５は、フレーム部２６及び環状部２７が一体となった成形品としたが、フレーム部２６及び環状部２７を別の成形品としてもよい。またオーナメント２５の形状は、上述した形状に限定されず、少なくとも上記傾斜角θの傾斜面を発光体側に備えていればよい。
【００５７】
・上記実施形態では、オーナメント２５に傾斜面３０，３１を形成したが、ハウジングがオーナメント２５を備えていない構成である場合には、発光体周辺のハウジングに上述した傾斜面３０，３１に相当する傾斜面を設けてもよい。
【００５８】
・図１では、計器装置１１を運転者Ｄの前方に配置したが、前方右側又は前方左側に配置してもよい。また計器装置１１を運転席Ｓが右側に配置される車両に設けたが、運転席が左側に配置される車両に設けてもよい。
【００５９】
・上記実施形態では、発光体を、ディスプレイ５０、速度計５１及び回転計５２の針５１ａ，５２ａの発光部に具体化したが、インストルメントパネル１０に設けられる装置であればこれに限定されない。例えば図１に示すナビゲーション装置１２や、インストルメントパネル１０に装着される各種ディスプレイ、メータ等に応用することが可能である。
【００６０】
・上記実施形態では、傾斜角θの傾斜面を、凹凸がなく湾曲していない平面としたが、凹凸面又は湾曲面でも良い。発光体近傍の傾斜面を凹凸面及び湾曲面とする場合には、例えば傾斜面の任意の一点において接線をとり、メータ盤２１の表面２１ａと平行な面に対する接線の角度を傾斜角θとしてもよい。
【符号の説明】
【００６１】
１０…インストルメントパネル、１１…計器装置、２０…ハウジング、２１…ハウジングを構成するメータ盤、２１ａ…表面、２５…ハウジングを構成するオーナメント、２６…ハウジングを構成するフレーム部、２７…ハウジングを構成する環状部、３０，３０ａ，３０ｂ，３１，３１ａ…傾斜面、５０…発光体としてのディスプレイ、５０ａ…画像表示面、５１…メータとしての速度計、５１ｂ…発光体としての発光部、５２…メータとしての回転計、５１ａ，５２ａ…針、Ｈ…相対高さ、Ｌ…幅、θ，θ１，θ２…傾斜角θ、α…視認角。
【図１】
2014215191.tif 000003
【図２】
2014215191.tif 000004
【図３】
2014215191.tif 000005
【図４】
2014215191.tif 000006
【図５】
2014215191.tif 000007
【図６】
2014215191.tif 000008
【図７】
2014215191.tif 000009
【図８】
2014215191.tif 000010
【図９】
2014215191.tif 000011